(57)【要約】現開示の観点は、同調―離調におけるマルチプル通信プロトコルで動作するように構成された無線通信デバイスおよび方法に関する。現開示の幾つかの観点は、アクセス端末におけるレガシー同調―離調動作を改善することができる。アクセス端末は、第１の通信プロトコルを利用する通話を確立し、第２の通信プロトコルを利用するセルシグナリングを受信するために該通話から離調し、そして該第１の通信プロトコルを利用する該通話に戻って同調する。該戻って同調するに続いて、第１の所定の数のサブフレームの期間に、そしてリバースリンク（ＲＬ）パケットのサイズが第１のパケットのサイズより小さく、そして第２のパケットのサイズより大きい場合、該アクセス端末は低い潜時（ＬｏＬａｔ）パケットであることに該ＲＬパケットを強制する。【選択図】図１２
2017521912.tif 000002
【特許請求の範囲】
【請求項１】
下記を具備するアクセス端末において動作可能な無線通信の方法、
第１の通信プロトコルを利用する通話を確立すること、
第２の通信プロトコルを利用するセルシグナリングを受信するために該通話から離調すること、
該第１の通信プロトコルを利用する該通話に戻って同調すること、
第１の所定の数のサブフレームの期間、該戻って同調することを続けること、および
リバースリンク（ＲＬ）のサイズが第１のパケットサイズより小さく及び第２のパケットサイズより大きい場合、低い潜時（ＬｏＬａｔ）パケットであることを該ＲＬパケットに強制すること。
【請求項２】
該ＬｏＬａｔパケットは２乃至３のサブパケットの終了ターゲットを有する、請求項１の方法。
【請求項３】
請求項１の方法であって、
ここにおいて、該第１の通信プロトコルはＥＶＤＯであり、そして
ここにおいて、該第１のパケットサイズはＥＶＤＯパケットサイズ１０であり、該第１の所定の数のサブフレームは１６サブフレームより少なく、および該第２のパケットサイズはＥＶＤＯパケットのサイズ７である。
【請求項４】
請求項１に記載の方法は、さらに下記を具備する:
該通話から離調する前に、該第２のＲＬパケットのサイズ及び該第２のＲＬパケットの終了ターゲットの両方に基づいて第２のＲＬパケットのパイロット対トラフィックのパワー利得（Ｔ２Ｐ）を増加すること。
【請求項５】
請求項４の方法であって、ここにおいて、Ｔ２Ｐを増加することは下記を具備する:
該第２のＲＬバケットのサイズが第３のパケットサイズより大きい場合、および該第２のＲＬパケットの終了ターゲットのそれより小さい時間期間の間に該通話から離調する直前に、該ＲＬパケットのＴ２Ｐを増加すること。
【請求項６】
該第３のパケットのサイズは該第１のパケットのサイズより小さく、及び該第２のパケットのサイズより大きい、請求項５の方法。
【請求項７】
更に下記を具備する、請求項４の方法:
第２の所定の数のサブフレームの期間に、該通話から離調する直前に、ＬｏＬａｔパケットであることを該第２のパケットに強制すること。
【請求項８】
さらに、下記を具備する請求項１に記載の方法:
該通話に戻って同調することの後、該ＲＬパケットのパケットサイズが第３のパケットサイズより大きい場合、所定の時間期間の間、該ＲＬパケットのパイロット対トラフィックのパワーゲイン（Ｔ２Ｐ）を増加すること。
【請求項９】
さらに、下記を具備する、請求項１に記載の方法:
該通話に戻って同調することの後、該通話から離調する前に、複数の以前送信されたＲＬパケットの最大パケットサイズに基づいて該ＲＬパケットのパケットサイズを選択すること。
【請求項１０】
下記を具備する、無線通信のための装置:
第１の通信プロトコルを利用する通話を確立するための手段;
第２の通信プロトコルを使用するセルシグナリングを受信するために該通話から離調するための手段;
該第１の通信プロトコルを利用する該通話に戻って同調するための手段;および
該戻って同調することに続いて、第１の所定の数のサブフレームの期間に、及びリバースリンク（ＲＬ）パケットのサイズが第１のパケットサイズより小さく、及び第２の
パケットのサイズより大きい場合、低い潜時（ＬｏＬａｔ）パケットであることを該ＲＬパケットに強制する手段。
【請求項１１】
請求項１０の装置、ここにおいて、該ＬｏＬａｔパケットは、２乃至３のサブパケットの終了ターゲットを有する。
【請求項１２】
請求項１０に記載の装置であって、
ここにおいて、該第１の通信プロトコルはＥＶＤＯであり、そして
ここにおいて、該第１のパケットはＥＶＤＯパケットのサイズ１０であり、該第１の所定の数のサブフレームは１６サブフレームより小さく、そして該第２のパケットサイズはＥＶＤＯパケットサイズ７である、
上記装置。
【請求項１３】
さらに下記を具備する請求項１０の装置、
該通話から離調する前に、第２のＲＬパケットのサイズと第２のＲＬパケットの終了ターゲットの両方に基づいて、該第２のＲＬパケットのパイロット対トラフィックのパワーゲイン（Ｔ２Ｐ）を増加するための手段。
【請求項１４】
請求項１３の装置であって、
ここにおいて、該Ｔ２Ｐを増加するための手段は、
該第２のパケットのサイズが第３のパケットサイズより大きい場合、そして該第２のパケットの終了ターゲットのそれより小さい時間期間に該通話から離調する直前に、該第２のＲＬパケットの該Ｔ２Ｐを増加するように構成される、
上記装置。
【請求項１５】
該第３のパケットは、該第１のパケットサイズにより小さく、該第２のパケットサイズより大きい、請求項１４の装置。
【請求項１６】
さらに、下記を具備する請求項１３の装置:
第２の所定の数のサブフレームの期間に、該通話から離調する直前に、ＬｏＬａｔパケットであることを該第２のＲＬパケットに強制するための手段。
【請求項１７】
下記を備える、請求項１０の装置、
該通話に戻って同調することの後に、該ＲＬパケットのパケットサイズが第３のパケットサイズより大きい場合、所定の時間期間に関する該ＲＬパケットのパイロット対トラフィックのパワーゲイン（Ｔ２Ｐ）を増加するための手段。
【請求項１８】
さらに下記を備える、請求項１０の装置:
該通話に戻って同調することの後、該通補から離調する前に以前送信された複数のＲＬパケットの最大パケットサイズに基づいて該ＲＬパケットのパケットサイズを選択するための手段。
【請求項１９】
下記を具備するアクセス端末:
第１の通信プロトコルを利用する無線通信に関する第１の通信コンポーネント;
第２の通信プロトコルを利用する無線通信に関する第２の通信コンポーネント;
低い潜時（ＬｏＬａｔ）パケット強制コンポーネント;
該第１及び第２の通信コンポーネントに動作的に結合された同調―離調制御コンポーネント、ここにおいて、該同調―離調制御コンポーネントは、
該第一の通信プロトコルを使用する通話を確立するために該第一の通信コンポーネントを利用すること;
該通話から離調すること及び該第２の通信プロトコルを使用するシグナリングを受信するために該第２の通信コンポーネントを利用すること;
該第１のプロトコルを利用する該通話に戻って同調すること;及び
第１の所定の数のサブフレームの期間に、及びリバースリンク（ＲＬ）パケットのサイズが第１のパケットサイズより小さく、及び第２のパケットサイズより大きい場合、該戻って同調することを続けること、低い潜時（ＬｏＬａｔ）パケット強制コンポーネントは、ＬｏＬａｔパケットであることを該ＲＬパケットに強制するように構成される。
【請求項２０】
該ＬｏＬａｔパケットは２乃至３の終了ターゲットを有する請求項１９のアクセス端末。
【請求項２１】
該第一の通信プロトコルがＥＶＤＯであり、
サブフレームの該第一の所定の数が１６サブフレームより小さく、及び該第二のパケットサイズがＥＶＤＯパケットサイズ７である、請求項２０のアクセス端末。
【請求項２２】
さらに、下記を備える請求項１９に記載のアクセス端末:
該通話から離調する前に、第２のＲＬパケットサイズと該第２のＲＬパケットの終了ターゲットの両方に基づいて該第２のＲＬパケットのパイロット対トラフィックのパワーゲイン(Ｔ２Ｐ)を増加するように構成されるＴ２Ｐ増加コンポーネント。
【請求項２３】
該Ｔ２Ｐ増加コンポーネントは、該第２のＲＬパケットのサイズが第３のパケットサイズより大きい場合で、そして該第２のＲＬパケットの終了ターゲットのそれより短い時間期間の間に該通話から離調する直前に、該第２のＲＬパケットの該Ｔ２Ｐを増加するように構成される、請求項２２のアクセス端末。
【請求項２４】
該第３のパケットサイズが該第１のパケットサイズより小さく、そして該第２のパケットサイズより大きい、請求項２３のアクセス端末。
【請求項２５】
該ＬｏＬａｔパケット強制コンポーネントが、さらに、第２の所定の数のサブフレームの期間に、該通話から離調する直前に、ＬｏＬａｔパケットであることを該第２のＲＬパケットに強制するように構成される、請求項２２のアクセス端末。
【請求項２６】
該通話に戻って同調することの後で、該ＲＬパケットのパケットサイズが第３のパケットサイズより大きい場合、所定の時間期間に関する該ＲＬパケットのパイロット対トラフィックパワーゲイン（Ｔ２Ｐ）を増加するように構成されたＴ２Ｐ増加コンポーネントをさらに備える、請求項１９のアクセス端末。
【請求項２７】
該通話に戻って同調することの後で、該通話から離調する前に、以前に送信された複数のＲＬパケットの最大パケットサイズに基づいて、該ＲＬパケットのパケットサイズを選択するように構成されるペイロードコントロールコンポーネントを更に具備する、
請求項１９のアクセス端末。
【請求項２８】
第１の通信プロトコルを利用する通話を確立する、
第２の通信プロトコルを利用するセルシグナリングを受信するために該通話から離調する、
該第一の通信プロトコルを利用する該通話に戻って同調する、
該戻って同調することに続けて、第１の所定の数のサブフレームの期間に及びリバースリンク（ＲＬ）パケットのサイズが第１のパケットサイズより小さく及び第２のパケットサイズより大きい場合、低い潜時（ＬｏＬａｔ）パケットであることを該ＲＬパケットに強制する、
をアクセス端末に実施させるためのコードを備えるコンピュータ読取可能な媒体。
【請求項２９】
該ＬｏＬａｔパケットが２乃至３のサブパケットの終了ターゲットを有する、請求項２８のコンピュータ読み出し可能な媒体。
【請求項３０】
該第１の通信プロトコルがＥＶＤＯであり、及び、ここにおいて該第１のパケットサイズがＥＶＤＯパケットサイズ１０であり、該第１の所定の数のサブフレームが１６サブフレームより少なく、及び該第２のパケットサイズはＥＶＤＯパケットサイズ７である、請求項２８のコンピュータ読み出し可能媒体。
【請求項３１】
該通話から離調する前に、該第２のＲＬパケットの終了ターゲットと第２のＲＬパケットのサイズの両方に基づいて該第２のＲＬパケットのパイロット対トラフィックパワーゲイン（Ｔ２Ｐ）を増加することを該アクセス端末に実施させるためのコードをさらに備える、請求項２８のコンピュータ可読媒体。
【請求項３２】
該Ｔ２Ｐを増加するため該コードが、該第２のＲＬパケットのサイズが第３のパケットサイズより大きい場合、及び該第２のＲＬパケットの終了ターゲットのそれより短い時間期間に該通話から離調する直前に、該第２のＲＬパケットのＴ２Ｐを増加することを該アクセス端末に実施させるためのコードを備える、請求項３１のコンピュータ読み出し可能な媒体。
【請求項３３】
該第３のパケットのサイズは該第１のパケットのサイズより小さく、及び該第２のパケットサイズより大きい、請求項３２のコンピュータ読み出し可能媒体。
【請求項３４】
該通話から離調する直前に、第２の所定の数のサブフレームの期間に、ＬｏＬａｔパケットであることを該第２のＲＬパケットに強制することを該アクセス端末に実施させるためのコードを具備する、請求項３１のコンピュータ可読媒体。
【請求項３５】
該通話に戻って同調することの後に、該ＲＬパケットのパケットサイズが第３のパケットのサイズより大きい場合、所定の時間期間に関して該ＲＬパケットのパイロット対トラフィックパワーゲイン（Ｔ２Ｐ）を増加することを、該アクセス端末に実施させるためのコードを更に備える、請求項２８のコンピュータ読み出し可能な媒体。
【請求項３６】
該通話に戻って同調することの後に、該通話から離調する前に以前に送信された複数のＲＬパケットの最大のパケットのサイズに基づいて該ＲＬパケットのパケットサイズを選択することを、該アクセス端末に実施させるためのコードを更に備える、請求項２８のコンピュータ読み出し可能な媒体。
【発明の詳細な説明】
【関連出願の相互参照】
【０００１】
[0001]  本願は、２０１４年６月６日に米国特許商標庁に出願した米国の非―仮特許出願no. １４／２９７，９７９への優先権と利益を要求し、その全コンテンツは、参照によりここに取り込まれる。
【技術分野】
【０００２】
[0002]  以下は、無線通信に、およびより具体的には、無線通信システムと同様の方法における同調―離調(tune-away)の動作の改善に関する。
【背景技術】
【０００３】
[0003]  複数の無線通信システムは、音声、ビデオ、パケットデータ、メッセージすること、および放送などのような種々のタイプの通信コンテンツを提供するためにワイドに開発されている。これらのシステムは、無線通信を促進するために適応された種々のタイプのアクセス端末によりアクセスされることができ、マルチアクセス端末は、利用可能なシステムリソース(例、時間、周波数およびパワー)を共有している。
【０００４】
[0004]  アクセス端末は、加入者特定モジュール(a subscriber identity module, SIM)、またはいくつかの例において、汎用集積回路カード(a universal integrated circuit card, UICC)上で稼働する(runs)アプリケーションを含むことができ、それはアクセス端末の加入者を証明し、識別するために使用される他の情報とアクセス端末の識別情報(例、国際モバイル加入者識別)を蓄積する。ＵＩＣＣ上で稼働するアプリケーションおよび/またはＵＩＣＣ、ＳＩＭは本開示においてＳＩＭまたはＳＩＭカードとして参照されることができる。マルチーＳＩＭアクセス端末は、２つ又はそれ以上のＳＩＭカードを保持する(又は２つまたはそれ以上のＳＩＭアプリケーションを稼働する)、および同一のアクセス端末上で二つまたはそれ以上のサービス或いは加入申込みの使用を許可する。一つの例において、アクセス端末は二重のＳＩＭを有し、アクセス端末はいずれの時間においてもいずれかのＳＩＭを使用して通話することができる。二重のＳＩＭアクセス端末は、ただ１つのＲＦチェーン又はトランシーバをそれらの間で共有し、両ＳＩＭを同時に操作するＳＩＭ二重代替(a dual SIM dual standby DSDS)アクセス端末として参照されることができ、該アクセス端末は、特別の通信プロトコルを使用して対応する無線ネットワークで通信する。通信プロトコルの例は、モバイル通信、ユニバーサルモバイル電気通信システム（ＵＭＴＳ）、ロング‐ターム発展(ＬＴＥ（登録商標）、また発展型パケットシステム又はＥＰＳとして知られる)に関するグローバルシステムを含む、第３世代パートナーシッププロジェクト（３ＧＰＰ（登録商標））により規定されるものを含み、第３世代パートナーシッププロジェクト２（３ＧＰ２）により規定されるものと同様に、ＣＤＭＡ ２０００ １Ｘ.発展データ最適化された（ＥＶＤＯ）などを含む。もちろん、当業者は、いずれの適した通信プロトコルも上記に記述されたそれらの例に限定されることなく、本開示の範囲内で利用することができることを認めるであろう。
【０００５】
[0005]  アクセス端末は、第１の通信プロトコル(例、ＥＶＤＯ)を使用する通話に従事する間に、同調―離調の動作、例えば、全ての予め決められたサイクル又は期間の間に、第２の通信プロトコル(例、ＧＳＭ（登録商標）またはｌｘ)のチャネルに同調することができる。受信、例えば、第２の二通信プロトコルでシグナリングの後で、アクセス端末は、第１の通信プロトコルを使用して通話を継続するために戻って同調する。第一の通信プロトコルおよび第２の通信プロトコルは同じＳＩＭ又は異なるＳＩＭに通話することができる。しかし、これらの同調―離調の動作を実施する間、アクセス端末は、同調―離調の前後に第１の通信プロトコル  トラフィックに関するデータを単調にダウン(ramp-down)および単調にアップ(ramp-up)する手順を典型的に実施する。すなわち、同調―離調の前に、アクセス端末はその送信パケットサイズを減少し、および同調―離調の後に、パケットサイズはバックアップして(back up)再び増加される。単調に増加及び単調に減少する動作は、第１の通信プロトコルを使用して通話のデータスループット(throughput)に望ましくない影響を与え得る。
【発明の概要】
【０００６】
[0006]  上記で述べたように、本明細書で説明する技術は、同調―離調の動作におけるマルチプル通信プロトコルで動作するように構成された方法と通信装置に関する。ある観点の本開示は、以下により詳細に説明されるように、アクセス端末におけるレガシー(legacy)の同調-離調の動作を改善することができる。
【０００７】
[0007]  続いて、本開示の１つ或いは複数の観点の単純化したサマリーを提示する。これはそのような観点の基礎的な理解を供するためである。このサマリーは本開示の全ての熟考された特徴の広範囲な外観ではなく、そして、本開示の全ての観点の批評的或いはキーとなる要素を確認することも、本開示のいずれか或いは全ての観点を確認することも意図されていない。その唯一の目的は、後で提示されるより詳細な記述への導入部として簡略された形式において本開示の１つ又は複数の観点の幾つかのコンセプトを提示することである。
【０００８】
[0008]  本開示の観点は、アクセス端末において操作可能な無線通信の方法を提供する。アクセス端末は、第２通信プロトコルを使用してセルシグナリングを受信するためにセルから離調する。アクセス端末は、第１の通信プロトコルを使用する通話に戻って同調する。第１の所定の数のサブフレームの期間に戻って同調することに続いて、及びリバースリンク（ＲＬ）パケットのサイズが第１のパケットのサイズより小さく、および第２のバケツとサイズより大きい場合、アクセス端末はＲＬパケットを低い潜時（ＬｏＬａｔ）パケットであることを強制する(forces)。
【０００９】
[0009]  本開示の他の観点は、無線通信の装置を提供する。該装置は、第１の通信プロトコルを使用して通話を確立するための手段を含む。該装置は、第２の通信プロトコルを利用してセルシグナリングを受信するために該通話から離調するための手段をさらに含む。該装置は、第一の通信プロトコルを利用する該通話に戻って同調するための手段をさらに含む。該戻って同調することに続いて、第一の所定の数のサブフレームの期間、およびリバースリンク（ＲＬ）パケットが第一のパケットサイズより小さくおよび第二のパケットサイズより大きい場合、該装置は、該ＲＬパケットを低い潜時（a low latency、(LoLat)）パケットであるべく強制する。
【００１０】
[0010]  本開示の他の観点は、無線通信に関するアクセス端末を提供する。該アクセス端末は、第２の通信プロトコルを使用するか無線通信に関する第２の通信コンポーネント(component)および第１の通信プロトコルを使用する無線通信に関する第１の通信コンポーネントを含む。該アクセス端末は、前記第１および第２の通信コンポーネントに同可能に連結された同調―離調の制御コンポーネント及び低い潜時（ＬｏＬａｔ）パケット強制コンポーネントをさらに含む。該同調―離調の制御コンポーネントは、該第１の通信プロトコルを使用して通話を確立する該第１の通信コンポーネントを利用するように、該第２の通信プロトコルを使用してセルシグナリング(cell signaling)を受信するために該第２の通信コンポーネントを使用するように、および該第１の通信プロトコルを使用して該通話に戻った同調するように、構成される。前記戻って同調することに続いて、第１の所定の数のサブフレームの期間に、およびリバースリンク（ＲＬ）パケットのサイズが第１のパケットのサイズより小さく、第２のパケットのサイズより大きい場合、該アクセス端末はＲＬパケットを低い潜時（ＬｏＬａｔ）パケットであるべきことを強制するように構成される低い潜時（ＬｏＬａｔ）パケット強制コンポーネントを含む。
【００１１】
[0011]  本開示の他の観点は、アクセス端末な種々の動作を実施させるためのコードを含むコンピュータ読み出し可能な媒体を提供する。該コードは、前記アクセス端末に、第１の通信プロトコルを使用して通話を確立させ、第２の通信プロトコルを使用してセルシグナリングを受信するために該通話から離調させ、および該第１の通信のプロトコルを使用して該通話に戻って同調させる。該戻って同調することに続いて、第１の所定の数のサブフレームの間およびリバースリンク（ＲＬ）パケットのサイズが第１のパケットのサイズより小さく、第２のパケットサイズより大きい場合、該コードは該アクセス端末に該ＲＬパケットを低い潜時（ＬｏＬａｔ）パケットであるべきことを強制させる。
【００１２】
[0012]  本発明のこれらのおよび他の観点は、次に続く詳細な説明の検討を受けて、より十分に理解されるであろう。本発明の他の観点、特徴および実施形態は、添付図面とともに、本発明の具体的な、例示的な実施形態の以下の説明を検討すれば、当業者には明らかになるであろう。本発明の特徴は以下のある実施形態および図面に関連して説明されることができるが、本発明の全ての実施形態は、ここに説明される１つ又は複数の有益な特徴の含むことができる。言い換えれば、１つ又は複数の実施形態は、ある有利な特徴を有するものとして説明されることができるが、１つ又は複数のそのような特徴は、また、ここに説明される発明の様々な実施形態にしたがって使用されることができる。同様に、例示的な実施形態は、デバイス、システムまたは方法の実施形態として以下で説明されることができるが、そのような例示的な実施形態は、様々なデバイス、システム、及び方法で実現されることができることが、理解されるべきである。
【図面の簡単な説明】
【００１３】
【図１】図１は、本開示の１つ以上の観点がアプリケーションを見つけることができるネットワーク環境の例を示すブロック図である。
【図２】図２は、アクセス端末によって実施されることができるプロトコルスタックアーキテクチャの例を示すブロック図である。
【図３】図３は、本開示の観点に従って同調―離調の動作をサポートするように構成されたアクセス端末を示すブロック図である。
【図４】図４は、ＥＶＤＯリバースリンクトラフィックチャネルフレーム構造の例を示す概念図である。
【図５】図５は、本開示の観点に従って低い潜在（ＬｏＬａｔ）送信を強制することを利用した同調―離調の手順を図示するフローチャートである。
【図６】図６は、本開示の観点に従ったＬｏＬａｔ強制する手順を図示するフローチャートです。
【図７】図７は、本開示の観点に従った事前の同調−離調のトラフィックチャネルパワーブースト(boost)を利用する同調―離調の手順を示すフローチャートである。
【図８】図８は、本開示の観点に従った事前の同調―離調のトラフィックチャネルパワーブーストアルゴリズムを図示するフローチャートである。
【図９】図９は、本開示の観点に従った同調―離調のトラフィックチャネルパワーブーストを利用する同調―離調の手順を図示するフローチャートである。
【図１０】図１０は、本開示の観点に従った同調―離調のトラフィックチャネルパワーブースト アルゴリズムを図示するフローチャートである。
【図１１】図１１は、本開示の観点に従った、リバースリンクペイロードアルゴリズムを図示するフローチャートである。
【図１２】図１２は、本開示の観点にしたがったアクセス端末を示すブロック図である。
【図１３】図１３は、本開示の観点に従った処理システムを動作する装置に関するハードウェア実施の例を示す概念的ダイアグラムである。
【詳細な説明】
【００１４】
[0026]  添付の図面に関連して以下の説明は、様々な構成のある１つの説明を意図するものであり、ここに記述される特徴及びコンセプトが実行されることができる唯一の構成を表すように意図されてはいない。以下の説明は、様々な概念の十分な理解を提供する目的のための具体的な詳細を含む。しかしながら、これらの概念がこれらの具体的な詳細なしに実施され得ることは、当業者には明らかであろう。いくつかの例では、よく知られた回路、構造、技法およびコンポーネントが、説明される概念および特徴を曖昧にすることを避けるために、ブロック図形式で示される。
【００１５】
[0027]  本開示の全体に提示された様々な概念は、広範な種類のワイヤレス通信システム、ネットワークアーキテクチャ(architectures)、及び通信基準にわたって実現され得る。議論のある観点は、符号分割多元接続（ＣＤＭＡ）および第３世代パートナーシッププロジェクト２（３ＧＰＰ２）１ｘおよびＥＶＤＯプロトコルおよびシステムについて以下に説明され、関連用語が以下の説明のおおくで見つけられることができる。しかしながら、当業者は、本開示の１つ以上の観点が１つ以上の他のワイヤレス通信プロトコルおよびシステムに含まることができ、それらで用いられることができることを認識するであろう。
【００１６】
[0028]  図１は、本開示の１つ以上の観点がアプリケーションを見つけることができるネットワーク環境の例を例示するブロック図である。ワイヤレス通信システム１００は、一般に、（例えば、パケットデータ交換ノード（ＰＤＳＮ）を介した）ＩＰネットワーク、及び／又は
（例えば、モバイル交換局／ビジタロケーションレジスタ（ＭＳＣ／ＶＬＲ）を介して）公衆交換電話網（ＰＳＴＮ）への、および／または（例えば、パケットデータ交換ノード（ＰＤＳＮ）を介して）ＩＰネットワークへのアクセスを提供する、コアネットワーク１０８、１つ以上の基地局コントローラ（ＢＳＣ）１０６、１つ以上のアクセス端末１０４、および１つ以上の基地局１０２を含む。システム１００は、多重搬送波（異なる周波数の複数の波形信号）上のオペレーションをサポートすることができる。マルチキャリア送信機は、マルチプルのキャリア上で同時に変調された信号を送信することができる。各変調された信号は、ＣＤＭＡ信号、ＴＤＭＡ信号、ＯＦＤＭＡ信号、単一搬送波周波数分割多重アクセス（ＳＣ−ＦＤＭＡ）信号等であることができる。各変調された信号は、異なる搬送波で送られることができ、および制御情報（例えば、パイロット信号）、オーバヘッド情報、データ等を運ぶことができる。
【００１７】
[0029]  基地局１０２は、基地局アンテナを介してアクセス端末１０４とワイヤレスで通信することができる。基地局１０２は、それぞれ、無線通信システム１００への（１つ以上のアクセス端末に関する）ワイヤレス接続性を容易にするように適応される装置として概して実現されることができる。基地局１０２はまた、当業者によって、アクセスポイント、基地トランシーバ局（base transceiver station）（ＢＴＳ）、無線基地局（radio base station）、無線トランシーバ、トランシーバ機能（transceiver function）、基本サービスセット（ＢＳＳ）、拡張サービスセット（ＥＳＳ）、ノードＢ、フェムトセル、ピコセル、および／または何らかの他の適切な用語でも呼ばれることができる。
【００１８】
[0030]  基地局１０２は、マルチプルのキャリアを介して基地局のコントローラ１０６の制御の下でアクセス端末１０４と通信するように構成される。基地局１０２の各々は、ある地理的エリアのための通信カバレッジを提供することができる。ここでの各基地局１０２のカバレッジエリア１１０は、セル１１０‐ａ、１１０‐ｂ、または１１０‐ｃとして特定される。基地局１０２のカバレッジエリア１１０は、セクタ（図示されないが、カバレッジエリアの一部のみを占める）に分割されることができる。セクタに分割されたカバレッジエリア１１０において、カバレッジエリア１１０内のマルチプルのセクタは、セルの一部内で１つ以上のアクセス端末１０４との通信に関与する各アンテナを有するアンテナのグループによって形成されることができる。
【００１９】
[0031]  １つ以上のアクセス端末１０４は、カバレッジエリア１１０の全体に散在されることができ、それぞれの基地局１０２に関連するセクタ或いは１つ以上のセルとワイヤレスで通信することができる。アクセス端末１０４は、概して、ワイヤレス信号を通じて１つ以上の他のデバイスと通信する複数のコンポーネント又は１つ以上のデバイスを含むことができる。そのようなアクセス端末１０４は、当業者によって、ユーザ機器（ＵＥ）、移動局（ＭＳ）、加入者局、モバイルユニット、加入者ユニット、ワイヤレスユニット、遠隔ユニット(a remote unit)、モバイルデバイス、ワイヤレスデバイス、ワイヤレス通信デバイス、遠隔デバイス、モバイル加入者局、モバイル端末、ワイヤレス端末、遠隔端末、ハンドセット、端末、ユーザエージェント、モバイルクライアント、クライアント、または何らかの他の適切な用語でも称されることができる。アクセス端末１０４は、モバイル端末および／または少なくとも実質的に固定された端末を含み得る。アクセス端末１０４の例は、モバイルフォン、スマートフォンページャー(pagers)、ワイヤレスモデム、パーソナルデジタルアシスタント、パーソナルインフォメーションマネジャ（ＰＩＭｓ）、パーソナルメディアプレイヤ、パームトップコンピュータ、ラップトップコンピュータ、タブレットコンピュータ、テレビ、電化製品（appliance）、電子ブックリーダ（e-reader）、デジタルビデオレコーダ（ＤＶＲｓ）、マシンツーマシン（machine-to-machine：Ｍ２Ｍ）デバイス、および／または、ワイヤレスまたはセルラネットワークを通じて、少なくとも部分的に、通信する他の通信／コンピューティングデバイスを含む。
【００２０】
[0032]  アクセス端末１０４は、ワイヤレス通信システム１００（例えば、基地局１０２）の１つ以上のネットワークノードとアクセス端末１０４間でデータを通信するためのプロトコルスタックアーキテクチャを用いるように構成されることができる。プロトコルスタックは、一般に、複数のレイヤがそれらの数字表示（numeric designation）の順に表される通信プロトコルのためのレイヤードアーキテクチャ（layered architecture）の概念モデルを含み、ここで、転送されたデータは、それらの表示順に、各レイヤによって実質的に処理される。図２は、アクセス端末１０４により実施されることができるプロトコルスタック（stack）アーキテクチャの例を示すブロックダイヤグラムである。図１および２を参照して、該アクセス端末１０４に関する該プロトコルスタックアーキテクチャーアは、一般に、３つの層：レイヤ１（Ｌ１）、レイヤ２（Ｌ２）、およびレイヤ３（Ｌ３）を含むように示されている。
【００２１】
[0033]  レイヤ１ ２０２は、最下位のレイヤであり、様々な物理レイヤ信号処理機能を実施する。レイヤ１ ２０２は、ここにおいて物理レイヤ２０２とも称される。この物理レイヤ２０２はアクセス端末１０４および基地局１０２間の無線信号の送信と受信を提供する。
【００２２】
[0034]  レイヤ２（または「Ｌ２レイヤ」）２０４と呼ばれるデータリンクレイヤは、物理レイヤ２０２の上に位置し、レイヤ３によって生成されたシグナリングメッセージの配信に関与している。Ｌ２レイヤ２０４は、物理レイヤ２０２によって提供されるサービスを使用する。Ｌ２レイヤ２０４は、媒体アクセス制御（ＭＡＣ）サブレイヤ２０６、およびリンクアクセス制御（ＬＡＣ）サブレイヤ２０８の２つのサブレイヤを含むことができる。
【００２３】
[0035]  ＭＡＣサブレイヤ２０６は、Ｌ２レイヤ２０４の下層サブレイヤ（lower sublayer）である。ＭＡＣサブレイヤ２０６は、媒体アクセスプロトコルを実施し、物理レイヤ２０２によって提供されるサービスを使用して、より上位レイヤのプロトコルデータユニットのトランスポート(transport)に関与する。ＭＡＣサブレイヤ２０６は、より上位レイヤから共有エアインターフェースへのデータのアクセスを管理することができる。
【００２４】
[0036]  ＬＡＣサブレイヤ２０８は、Ｌ２レイヤ２０４の上層サブレイヤ（upper sublayer）である。ＬＡＣサブレイヤ２０８は、レイヤ３において生成されたシグナリングメッセージの配信および正確なトランスポートを提供するデータリンクプロトコルを実施する。ＬＡＣサブレイヤは、より下位レイヤ（例えば、レイヤ１およびＭＡＣサブレイヤ）によって提供されるサービスを使用する。
【００２５】
[0037]  レイヤ３ ２１０は、より上層レイヤまたはＬ３レイヤとも呼ばれることができ、基地局１０２およびアクセス端末１０４間の通信プロトコルのタイミング（timing）および意味論（semantics）に従ってシグナリングメッセージを始める（originates）または終了する（terminates）。Ｌ３レイヤ２１０は、Ｌ２レイヤによって提供されたサービスを使用する。（データと音声の両方の）情報メッセージはまた、Ｌ３レイヤ２１０に通される。
【００２６】
[0038]  図３は、本開示の幾つかの観点に従って同調―離調の動作をサポートするように構成されたアクセス端末３０２を示すブロック図である。例えば、アクセス端末３０２は、図１、１２及び／又は１３に示されたいずれかのＡＴ或いは、図１のＡＴ１０４と同じである。ＡＴ３０２は、異なる通信プロトコルを使用して第２のセル３０６及び一つのセル３０４に同時に接続されることができる。セル３０３および３０６は、異なる記名又は同じ記名で結ばれる。本開示の１つの観点において、ＡＴ３０２はＥＶＤＯプロトコルにより第１のセル３０４と、ＧＳＭ又はＣＤＭＡ  ２０００  １ｘプロトコルにより第２のセル３０６と通信することができる。一つの例において、第１のセルとＥＶＤＯトラフィックで従事する一方で、ＡＴ３０２は全てのページングサイクルに関して第２のセル３０６からＧＳＭ（または１ｘ）シグナリングを受信するために同調―離調の動作を実施することができる。ＧＳＭページングが全ての４７０ミリ秒（ｍｓ）に生起する故に、ＡＴ３０２は、ＧＳＭシグナリングを受信するためにＥＶＤＯ通話から周波数的に離調し、それはＥＶＤＯ通話周波数障害を引き起こすことができる。この障害は、ＥＶＤＯデータスループットに望ましくない劣化を引き起こすことができる。
【００２７】
[0039]  もちろん、当業者は、図３に示された及び上記記述された動作が同調―離調の動作として本開示に言及されることができる動作の１つの例を示すにすぎないことを理解するであろう。一般に、同調―離調のニーズは、新しい周波数を使用する通信インターフェイス又はトランシーバのいずれかの「同調」も含む。むしろ、同調―離調の動作は、新しい或いは異なる周波数へのそのような同調に言及することができるが、複数の異なる通信プロトコル間のいずれかの他の適した変化、あるいは異なるＣＤＭＡプロトコルを使用する第二の通信プロトコルに１つのＣＤＭＡスクランプリングコードを利用する第１の通信プロトコルからの変化に代わって或いは付加的に参照されることができる。
【００２８】
[0040]  図４は、ＥＶＤＯリバースリンク（ＲＬ）トラフィックチャネルフレーム構造の例を示す概念図である。ＥＶＤＯにおいて、ＲＬフレーム４００は、４つのサブフレームに分割される１６スロットを有している。サブパケット４０２は、アクセスネットワーク（ＡＮ）により該物理レイヤで受信確認されることができるリバーストラフィックチャネルの最も小さいユニットである。サブパケット４０２は、４つの隣接のスロットで送信され、このようにサブパケットは１つのサブフレーム中で送信される。各物理レーヤパケットは４つのサブパケット中で送信されることができる。符号分割多重は該ＲＬ中の多重チャネルを同時に送信するために使用される。たとえば、該複数のチャネルはリバースレートインディケータ(Indicator)（ＲＲＬ）チャネル４０４、データチャネル４０６、データレートコントロールチャネル４０８、受信確認（ＡＣＫ）チャネル４１０、データソースチャネル（ＤＳＣ）４１２、予備パイロットチャネル４１４、およびパイロットチャネル４１６である。該ＡＣＫ４１０およびＤＳＣ４１２は、一緒に時間多重される。該補助パイロットチャネル４１４は、任意(optional)であり、そしてより高いデータレートで使用される。
【００２９】
[0041]  該ＲＲＩ  ４０４は、リバースデータチャネルを示す。すなわち、該ＲＲＩ  ４０４はある数のペイロードインデックスの１つを利用することにより、現ＲＬデータパケットのデータレートを報告し、それは１−１２の範囲である。データチャネル４０６は、ユーザデータ（ＥＶＤＯトラフィック）を搬送する。該ＤＲＣチャネル４０８は、各スロット中の４ビットワードを含み、該サービング(serving)セクタに異なる送信レートの選択を許可する。例えば、該ＡＴが、「複数のＤＲＣインデックス」と呼ばれる、該選択された基地局から要求することができる１２の可能なフォーマットがある。各ＤＲＣインデックスはデータレート、パケット長、スロットの数、符号化レート、変調タイプ、前文の長さ、および反復を含む送信に関するパラメータのセットを含む。各送信レート（あるいは、データレート）は、ペイロードのサイズ及び待ち時間目標(latency target)の関数である。該待ち時間目標は、所望されるパケットエラーレート（ＰＥＲ）を達成するために使用される送信サブバケットの数であり、そして１、２、３あるいは４のパケットであることができる。該ＤＲＣチャネル４０８送信は、ＤＲＣカバーと呼ばれる、適切なカバーコードを利用し、それはセクタカバー或いはヌルカバーのいずれかであり得る。一般に、ＤＲＣカバーはＡＴのアクティブセット（セクタカバーと呼ばれる）中の特定のセクタと結び付けられる。該ＡＴは該ＤＲＣチャネル４０８を使用して、特定のセクタに、特定の送信レート或いはデータレートを使用して該ＡＴに送信することを求める。該ＡＣＫ４１０は該データの受信者であるべき該ＡＴを表示する前文(a preamble)をもって（フォワードリンクからの）フレームを検出する。
【００３０】
[0042]  該ＤＳＣ４１２は、セルを切り替えるＡＴの前注意を無線ネットワークコントローラ（ＲＮＣ）に供する。それゆえに、該ＲＮＣが新しいセルに該データを送信する一方で、該ＡＴはその現セルからデータを要求することを続けることができる。該ＤＳＣ４１２は、ＡＣＫ４１０と時間多重され、そして第２ハーフスロット中で常に送信される。該データチャネル４０６は、複数のサブ―フレームを使用してサブ―フレームを送信し、ここで各サブ―パケットは４スロットを取る。
【００３１】
[0043]  本開示の観点は、例えば、ＥＶＤＯトラフィックとＧＳＭ／１ｘアイドルトラフィックとの間で、同調―離調の動作間に良いＲＬ（アップリンク）ＥＶＤＯスループット動作に導く目的で、レガシー(legacy)ＥＶＤＯ管理アルゴリズム(例、ＥＶＤＯリバーストラフィックチャネルＭＡＣ（ＲＴＣ−ＭＡＣ）プロトコル)を改善する。同調―離調の操作の前後に、一般に、可能な範囲で(as much as possible)、レガシーパケットサイズが利用される。それ故に、ＲＬパケットサイズのランプ波形(ramp)-減少(パケットサイズ減少)およびランプ波形-増加(パケットサイズ増加)が、同調―離調の前後に、パケットサイズの減少或いは回避されることができる。該同調−離調の操作がランプ波形-減少およびランプ波形-増加なしで正しく動作されるよう該同調―離調の操作を可能とするために、該ＲＬデータ送信へのある変化が該同調―離調の操作の前後になされる。
【００３２】
[0044]  該改善されたＥＶＤＯ管理アルゴリズムは、複数の特徴を含み、それは図１、３、１２及び/又は１３に示されるいずれかのＡＴ又はＡＴ３０２においていずれか適切な組み合わせで或いは単独で実施されることができる。それらの特徴は幾つかの非限定的な例により以下に詳細に説明されるであろう。該ＡＴ３０２は２つの送信モード（高いキャパシティ（ＨｉＣａｐ）と低い潜時（ＬｏＬａｔ））を使用してパケットを送信することができる。一般に、ＬｏＬａｔは、ＨｉＣａｐのそれより少ない送信ターゲットを持つ。ＥＶＤＯにおいて、例えば、ＬｏＬａｔが２から３のサブパケットの送信ターゲットを持つ一方、ＨｉＣａｐは４サブパケットの送信ターゲットを有する。該送信ターゲットは、ＡＴ３０２が与えられたパケットエラーレート（ＰＥＲ）の下でパケットを送信するために試みることができるサブパケットの数を制御する。ＬｏＬａｔ送信を使用することにより、該ＡＴは送信遅延を最少にし、高いデータレートを達成する。
【００３３】
[0045]  本開示の１つの観点において、該ＡＴ３０２は、或る条件において同調―離調の操作後にＬｏＬａｔ強制を実施することができる。たとえば、該ＡＴ３０２は、まさに同調―離調の後のある時間期間の間、あるデータレートがＬｏＬａｔパケットであるように構成される複数のパケットを強制することができる。図５は、本開示の観点に従って強制するＬｏＬａｔを利用する同調―離調の手順５００を示すフローチャートである。該同調―離調の手順５００は、図１、３、１２、及び／又は１３に示されるいずれか、あるいは該ＡＴ３０２により実行されせることができる。該ＡＴ３０２は、２つの通信プロトコルの間で同調―離調の操作を実行するように構成されることができ、それは同じ或いは異なる予約(subscription)と関連されることができる。ブロック５０２において、該ＡＴ３０２は、第１の通信プロトコルを使用して通話を確立する。例えば、該ＡＴ３０２はＥＶＤＯプロトコルを使用して第１のセル３０４とのＥＶＤＯ通話を確立することができる。ブロック５０４において、該ＡＴ３０２は、該通話から離調して、第２の通信プロトコルを使用してセルシグナリング(signaling)を受信する。例えば、該ＡＴ３０２は、第２のセル３０６に離調して、ＧＳＭ又は１ｘプロトコルを使用して第２のセル３０６からシグナリングを受信する。該セルシグナリングは、ページングメッセージ或いは他のコントロールメッセージを含むことができる。一つの例において、該ＡＴ３０２は、全てのＧＳＭページングサイクルに関するＧＳＭページングメッセージを受信するために離調することができる。
【００３４】
[0046]  ブロック５０６において、該ＡＴ３０２は、該第１の通信プロトコルを利用して該通話に戻って同調する。ブロック５０８において、該戻って同調するに続いて、所定の数のサブフレームの期間に、およびリバースリンク（アップリンク）パケットのサイズが第１のパケットサイズより小さく、および第２のパケットサイズより大きい場合、該ＡＴ３０２は該リバースリンクをＬｏＬａｔパケットであることを強制する。一つの例において、図６を参照して、ＬｏＬａｔパケット強制手順６００が詳細に示されている。本開示の１つの観点において、手順６００は該ＡＴ３０２により図５のブロック５０８で実施される。ＥＶＤＯ通話に戻って同調の後、それがまだ、戻って同調の後の１６サブフレームより少ない（例、１５サブフレーム或いはそれ未満のような第１の所定の数のサブフレーム）時間期間内の場合、および現ＲＬパケットサイズがＲＲＩペイロードインデックス１０（第１のパケットサイズ）（例）、６１４４ビット、ＥＶＤＯパケットサイズ１０）より小さい場合、手続き６００はブロック６０２に進む。他方、手順６００は、ブロック６０４に進む。ブロック６０４において、該ＡＴ３０２はＬｏＬａｔパケットとして送信されることを強制されない。ブロック６０２において、該現ＲＬパケットサイズがＲＲＩペイロードインデックス６（第２のパケットサイズ）（例、１５３６ビット、ＥＶＤＯパケットサイズ６）より大きい場合、手順６００はブロック６０６に進む。一方、手順６００はブロック６０４に進む。ブロック６０６において、該ＡＴ３０２は、例えば、ＲＲＩペイロードインデックス７（ＥＶＤＯパケットサイズ７）のそれより大きいか等しいパケットサイズを持つＲＬパケットに関するＬｏＬａｔ送信を強制する。
【００３５】
[0047]  ＥＶＤＯ  ＲＬにおいて、ユーザ当たり全６チャネル：一つのトラフィックチャネル、及び５オーバヘッド、例えば、パイロットチャネル４１６、ＤＲＣチャネル４０８、ＤＳＣチャネル４１２、ＡＣＫチャネル４１０、及びＲＲＩチャネル４０４、がある。該パイロットチャネル４０６は基地局とＡＴの間のエアインターフェースのチャネル推定に関して使用され、およびパワー制御目的に関して使用される。他のチャネルの送信パワーは、該パイロットチャネルに関するチャネル利得により規定される。ＲＬトラフィックチャネルに関して、送信パワーはパイロット対トラフィックパワー利得(the traffic-to-pilot power gain（Ｔ２Ｐ）と呼ばれるパワー利得により特定される。一般に、該Ｔ２Ｐは、リバース利得送信パワーレベルセットポイントに基づいて決定され、それは基地局から受信された１つ或いはより多くの命令に基づいている。基地局からの複数の命令の各々は、該ＡＴに命じて、例えば、アクセスネットワークにより測定されるネットワーク条件に基づいて該セットポイントを減少或いは増加する。該セットポイントに基づいて決定される該Ｔ２Ｐは本開示においてはオリジナルのＴ２Ｐとして参照されることができる。
【００３６】
[0048]  本開示の１つの観点において、同調―離調の開始により複数のＲＬパケットの終了を早期に確実にするために、該ＡＴ３０２は該同調―離調の前に与えられた時間に関してトラフィックチャネル送信パワーを増加するためにＴ２Ｐを高める(boost)ことができる。該Ｔ２Ｐを高めることはそのオリジナルのＴ２Ｐから該ＲＬの送信パワーを増加することを意味する。該ＡＴ３０４は幾つかの試み（例、４つの試み或いはサブパケットに至る）において基地局にパケットを送ることができる。各送信の試みに関して、基地局はネガティブアクノレッジ（ＮＡＣＫ）或いはアクノレッジメント（ＡＣＫ）で答える。該該ＮＡＫが該サブパケットを成功裏に受信し復号することの失敗を表示する一方で、該ＡＣＫは成功した受信及び復号すること表示する。Ｔ２Ｐを増強することは、サブパケットが最初の試みにおいて基地局により成功裏に受信され符合される見込を増加する。該ＡＴ３０４が、与えられたパケットを送信することの最初の試みに応答して該基地局からＡＣＫを受信する場合、該ＡＴ３０４は複数の追加の試みを続けない。それ故に、ＡＣＫの受信時でのマルチー試み(a multi-attempt)サイクルの早期終了が全体的なＲＬスループットを増加する。
【００３７】
[0049]  図７は、本開示の観点に従ったトラフィックチャネルパワー増加(Ｔ２Ｐブースト)を利用する同調―離調手順７００を示すフローチャートです。例えば、該手順７００は図１、３、１２及び/又は１３に示された複数のＡＴのいずれか、又は該ＡＴ３２０により実施されることができる。ブロック７０２において、該ＡＴは最初の通信プロトコルを使用して通話を確立する。例えば、該ＡＴ３０２はＥＶＤＯプロトコルを利用して最初のセル３０４とのＥＶＤＯ通話に従事することができる。ブロック７０６で、該ＡＴ３０２は第二の通信プロトコルを利用してセルシグナリングを受信するために該通話から離調する。例えば、該ＡＴ３０２は該ＧＳＭ又は１ｘプロトコルを利用して第２のセル３０６からセルシグナリングを受信するために第２のセル３０６へ離れて同調する(tune away)ことができる。該セルシグナリングはページングメッセージを含むことができる。ブロック７０８で、該ＡＴ３０２は、該第１の通信プロトコルを利用して該通話に戻って同調する。
【００３８】
[0050]  図８は、本開示の１つの観点に従ったＴ２Ｐ増加(boost)アルゴリズム８００から離れての事前―同調を図示するフローチャートです。例えば、該アルゴリズム８００は、ブロック７０４で図１、３、１２、及び/又は１３中で示された複数のＡＴのいずれか、或いは該ＡＴ３０２により実施されることができる。ブロック８０２において、該セルから離調することの直前に、４サブフレームより少ない(例えば、３サブフレーム又はより少ないサブフレームのような第二の所定の数のサブフレーム)時間期間に、該セルから離れて同調する直前に、該ＡＴ３０２は複数のＲＬパケットをＬｏＬａｔパケットとして送信されることを強制する。例えば、該ＡＴ３０２は、全てのサイズの複数のＲＬパケットを複数のＬｏＬａｔパケットであるべきことを強制することができる。ブロック８０４において、前記現在のＲＬパケットサイズがＲＲＩペイロードインデックス７（ＥＶＤＯペイロードサイズ７）のそれより大きく、及び同調―離調に至る時間期間が強制されたＲＬパケットでの現在のＬｏＬａｔの終了ターゲットより小さい場合、該ＡＴ３０２は、適切な量(例、８ｄＢ或いはより大きく)だけ該Ｔ２Ｐを増加する(ｂｏｏｓｔｓ)。一つの例において、現在のＬｏＬａｔ強制されたＲＬパケットは３サブパケットの終了ターゲットを持つことができ、および同調―離調に至る時間は該終了ターゲットより少ない二つのサブパケット(或いは、サブフレーム)に等しい。このケースにおいて、該ＡＴ３０２は、該ＲＬパケットが成功裏に受信され、及び該第一の試みにおいて終了される機会を増加するために該Ｔ２Ｐを増加することができる。故に、新しいパケット送信は、あるデータに関する同調―離調が見積もられる(rates)前の最後のサブフレームまで継続することができる。
【００３９】
[0051]  本開示の１つの観点において、ＡＴ３０２は同調―離調の直後の時間の短い期間に関してＴ２Ｐを増加することができる。図９は、本開示の観点に従ってトラフィックチャネルパワー増加を離れての後―同調を利用する同調―離調手順９００を図示するフローチャートである。一つの例において、該手順９００は、図１、３、１２及び/又は１３に図示された複数のＡＴのいずれか又は該ＡＴ４２０により実施されることができる。ＡＴブロック９０２において、該ＡＴ３０２は第１の通信プロトコルを利用して通話を確立する。例えば、該ＡＴ＆３０２は、該ＥＶＤＯプロトコルを利用して第１のセル３０４との通話に従事することができる。ブロック９０４で、該ＡＴ３０２は該通話から離れて同調し、第２の通信プロトコルを利用してセルシグナリング(cell signaling)を受信する。例えば、該ＡＴ３０２は該ＧＳＭ又は１ｘプロトコルを利用して第２のセル３０６からセルシグナリング受信するために第二のセル３０６へ離れて同調する(tune away)ことができる。該セルシグナリングは、ページングメッセージを含むことができる。ブロック９０６において、該ＡＴ３０２は、該第一の通信プロトコルを使用して該通話に戻って同調する。ブロック９０８において、該ＡＴ３２は、Ｔ２Ｐ増加を離れての後―同調(post-tuneを実施する。
【００４０】
[0052]  図１０は、本開示の観点に従って、Ｔ２Ｐ増加アルゴリズム１０００を離れての後―同調を示すフローチャート踏である。例えば、該アルゴリズム１０００はブロック９０８で図１、３、１２及び/又は１３に示された複数のＡＴのいずれかまたは該ＡＴ３０２により実施されることができる。ブロック１００２において、同調―離調後の時間が、例えば１５サブフレーム又は適切な時間期間内であって、現ＲＬパケットサイズがＲＲＩインデックス６のそれより大きい場合、該ＡＴ３０２は、Ｘ ｄＢだけ該Ｔ２Ｐを増加する(例えば、８ｄＢ又は幾つかの他の適切な量);一方、該ＡＴ３０２はブロック１００４でＴ２Ｐを増加しない。一般に、ＲＲＩインデックス７の或いはより大きいサイズを持つＲＬパケットは４サブパケットにいたるＨｉＣａｐパケットとして送信される。増加されたＴ２Ｐで、該ＲＬパケットは該第１の試みで成功裏に送信されるであろう。それゆえに、該有効なＥＶＤＯスループットは、Ｔ２Ｐ増加による同調―離調後に増加されることができる。
【００４１】
[0053]  本開示の１つの観点において、該ＡＴ３０２はレガシーランプーダウン(ramp-down)期間及び/又はランプアップ(ramp-up)期間が避けられるように或いは減少されるように、同調―離調の前/又は後により大きいパケットサイズを使用するために新しいペイロード行動を支持するように構成されることができる。例えば、該ＡＴ３０２は該ＲＲＩレートに基づいて以前に送信されたＲＬバケットサイズに幾つかの優先を与えることができる。それ故に、同調―離調後、ＲＬ送信が再スタートされる時、該ＡＴ３０２は該レガシーランプアップ行動中に許可されるより大きいパケットサイズを用いてスタートすることができる。同様に、該ＡＴ３０２は、同調―離調の前に該レガシーランプアップにおいて使用されるより大きいパケットサイズを使用することができる。
【００４２】
[0054]  図１１は、本開示の１つの観点に従って逆リンクペイロードアルゴリズム１１００を図示するフローチャートである。例えば、該アルゴリズム１１００は、次のＲＬパケット送信に関するより大きいパケットサイズを許可するために同調―離調の前或いは後に図１、３、１２及び/又は１３に図示された該ＡＴのいずれか又は該ＡＴ３０２により実施されることができる。ブロック１１０２で、該ＡＴ３０２は、複数の従前に送信されたパケットの許可される複数のペイロードパケットサイズ(例えば、許可されるペイロードパケットサイズ１、許可されるペイロードパケットサイズ２、及び許可されるペイロードパケットサイズ３)から最小の許可されるパケットサイズを決定する。例えば、該ＡＴ３０２は、最後の３つの送信されたパケットの許可されたペイロードパケットサイズを利用することができる。ブロック１１０４で、該ＡＴ３０２は前に送信されたパケットの最大の従前―送信されたパケットサイズを決定する。例えば、従前に送信されたパケットサイズは、該最後に３つの送信されたパケット（最後に送信されたパケットサイズ１、最後に送信されたパケットサイズ２、および最後に送信されたパケットサイズ３)であることができる。他の例において、該前に送信されたパケットはいずれかの適切な期間に送信されたパケットを含むことができる。
【００４３】
[0055]  ブロック１１０６において、該ＡＴ３０２は、次のＲＬパケットサイズを最大の最後に送信されたパケットサイズと最小の許可されたパケットサイズの最大であるべき次のＲＬパケットサイズに設定する。この方法で、該ＡＴ３０２は同調―離調の前及び/又は後に増加されＥＶＤＯスループットに帰結するより大きいパケットサイズを使用するようになる。
【００４４】
[0056]  図５−１１に記されたＥＶＤＯスループットを改善するための種々の方法は、個々に或いは種々の組み合わせにおいて実施されることができる。また、開示されたインブンティブな(inventive)概念と技術は、ＥＶＤＯに限定されず、当業者により理解されるような他の通信プロトコルに適用されることができる。
【００４５】
[0057]  図１２は、本開示の観点に従ってＥＶＤＯスループットを改善するために複数の同調―離調の操作を支持するように構成されたＡＴ１２００を図示するブロック図ダイアである。一つの例において、該ＡＴ１２００は、図１、３、及び/又は１３に図示された該ＡＴのいずれか又はＡＴ１３０２と同じであることができ、そして、図５−１１に示されたアルゴリズム又は方法のいずれかを実施するように構成されることができる。本開示の１つの観点において、該ＡＴ１２００はＥＶＤＯ、ＧＳＭ及び１ｘのような複数の通信プロトコルにおいてアクセスネットワークと通信することができるＡＴであることができる。該ＡＴ１２００は、ソフトウェア、ハードウェア、ファームウェア、或いはそれらのいずれかの組み合わせであり得る複数のコンポーネントを含む。該ＡＴ１２００のコンポーネントの幾つかの組み合わせは以下に詳細に説明される。
【００４６】
[0058]  第１のプロトコル通信コンポーネント１２０２は、該ＡＴ１２００が最初の通信プロトコル(例、ＥＶＤＯ、ＧＳＭ、又はｌｘ)を使用して通話（例、ボイス又はデータの通話）を確立するこができるように提供される。第２のプロトコル通信コンポーネント１２０４は該ＡＴ１２００が第２の通信プロトコル(例、ＥＶＤＯ、ＧＳＭ又はｌｘ)を使用してセルシグナリングを受信し、或いは通話を確立することができる。本開示の種々の観点において、該ＡＴ１２００は図５のブロック５０２と５０４、図７のブロック７０２、７０６、及び図９のブロック９０２と９０４に関係して記述される操作を実施するために通信コンポーネント１２０２を利用することができる。
【００４７】
[0059]  同調−離調制御コンポーネント１２０６は、該ＡＴ１２００は、該ＡＴ１２００が図５−１１に関係して記述される種々の同調―離調方法を実施することができる。例えば、該ＡＴ１２００はＧＳＭ／１ｘプロトコルを使用してセルシグナリンクを受信するためにＥＶＤＯ通話から離れて同調するために該コンポーネント１２０６を利用することができる。さらに、該ＡＴ１２００は、ＥＶＤＯ通話に戻って同調するために該コンポーネント１２０６を利用することができる。
【００４８】
[0060]  Ｌ０Ｌａｔ強制コンポーネント１２０８は、該ＡＴ１２００が、同調―離調の動作の後、ＬｏＬａｔパケットとして送信されるためにあるＲＬパケットを強制できるように提供されることができる。例えば、コンポーネント１２０８は図５及び６に記述されたＬｏＬａｔ方法を実施するように構成されることができる。Ｔ２Ｐ増加コンポーネント１２１０を離れての前―同調は、該ＡＴ１２００が同調―離調の前にあるＲＬパケットのＴ２Ｐを増加することができるように提供される。例えば、該コンポーネント１２１０は、図７及び８に記述されたＴ２Ｐ増加操作を離れての前―同調を実施するように構成されることができる。Ｔ２Ｐ増加コンポーネント１２１２を離れての後―同調が、該ＡＴ１２００が同調へ離調後にあるＲＬパケットの該Ｔ２Ｐを増加できるように提供される。例えば、該コンポーネント１２１２は図９及び１０に記述されたＴ２Ｐ増加操作を離れて後−同調を実施するように構成させることができる。
【００４９】
[0061]  ペイロード制御コンポーネント１２１４は、該ＡＴ１２００が同調―離調の前及び/又は後にＥＶＤＯスループットを増加することを可能とする大きさのように、より大きなＲＬパケットサイズを使用することができる。例えば、該コンポーネント１２１４は、同調―離調の前及び/又は後に該レガシー(legacy)許容されるペイロードパケットサイズを超えて該最後の送信ペイロードパケットサイズ１２１６(すなわち、ＲＲＩレート)に優先権を与えるように構成される。本開示の１つの観点において、該コンポーネント１２１４は、図１１のリバースリンクペイロードアルゴリズムを実施するように構成されることができる。該ＡＴ１２００は、また、図５−１１に関係して図示されるそれらのように、種々の機能を実施するように該ＡＴ１２００を構成するためのソフトウェア１２２０を含む。例えば、該ソフトウェア１２２０は、ＥＶＤＯ、ＧＳＭ及びｌｘのような異なる通信プロトコル間で同調―離調を実施するためのコード１２２２を含む。該ソフトウェア１２２０は、また、図５−１１に関係して記述されるように同調―離調の操作の前及び/又は後にＥＶＤＯスループットを改善するために使用される種々の機能を実施するように構成されることができるＲＴＣ−ＭＡＣアルゴリズム１２２４を含む。
【００５０】
[0062]  図１３は、処理システム１３１４を実施する装置１３００に関するハードウェアの実行の例を示す概念図である。本開示の様々な観点にしたがって、１つのエレメント、或いはエレメントのいずれかの部分、または複数のエレメントの任意の組み合わせは、１つまたは複数のプロセッサ１３０４を含む処理システム１３１４を用いて実施トされることができる。例えば、該装置１３００は図１、３及び/又は１２に図示された該複数のＡＴのいずれかあるいはＡＴ１２００であることができる。本開示の１つの観点において、該ＡＴ１３００は図１２に示され、記述された該ＡＴ１２００の複数のコンポーネントを実施するように構成されることができる。他の例において、該装置１３００は、図１及び/又は２に示されたように基地局であることができる。プロセッサ１３０４の例は、本開示を通して記述される種々の機能を実施するように構成された、マイクロプロセッサ、マイクロコンピュータ、デジタル信号プロセッサ(ＤＳＰs)、フィールドプログラム可能なゲートアレイ(ＦＰＧＡs)、プログラム可能なロジックデバイス(ＰＬＤs)、状態機械、ゲートロジック、ディスクリート(discrete)ハードウェア回路、及び他の適したハードウェアを含む。すなわち、該プロセッサ１３０４は、装置１３００中で使用されるように、図５−１１で示され、記述されたプロセッサ、手順、又はアルゴリズムの１つ又はそれより多くを実施するために使用されることができる。
【００５１】
[0063]  この例において、処理システム１３１４は、アーキテクチャを実施することができ、一般的にバス１３０２によって表わされる。該バス１３０２は、処理システム１３１４の特定のアプリケーションおよび全体的な設計制約に依存して、任意の数のブリッジ及び相互接続バスおよびブリッジを含むことができる。該バス１３０２は、（該プロセッサ１３０４によって一般的に表される）１つまたは複数のプロセッサ、メモリ１３０５、およびコンピュータ読み出し可能な媒体(コンピュータ読みだし可能媒体１３０６)によって一般的に表される）コンピュータ読み出し可能な媒体を含む様々な回路を共にリンクさせる。バス１３０２は、また、タイミングソースのような他の様々な回路、周辺機器(peripherals)、電圧レギュレータ、および電力管理回路のような他のさまざまの回路をまたリンクすることができ、これらは、当該技術分野で良く知られており、さらにいずれも説明されないであろう。バスインターフェース１３０８は、バス１３０２とトランシーバ１３１０の間のインターフェイスを提供する。トランシーバ１３１０は、伝送媒体上を様々な他の装置と通信するための手段を提供する。例えば、該トランシーバ１３１０はＥＶＤＯ、ＧＳＭ、ＩＸ等のようなマルチプル通信プロトコルをサポートするように構成されることができる。該トランシーバ１３１０は異なる複数の通信プロトコルの間で同調―離調の動作をサポートするようにまた構成されることができる。該装置の性質に依存して、ユーザインターフェイス１３１２(例、キーパッド、ディスプレイ、スピーカ、マイクロフォン、ジョイステック、タッチスクリーン、タッチパッド等)がまた供されることができる。
【００５２】
[0064]  プロセッサ１３０４は、バス１３０２を管理し、およびコンピュータ可能な媒体１３０６に格納されたソフトウェアの実行を含む一般的な処理するための役割をする。該ソフトウェア、例えば、図２のソフトウェア１２２０は、プロセッサ１３０４によって実行されるとき、処理システム１３１４に、いずれかの特定の装置に関して図５−１１に記述され種々の機能を遂行させる。コンピュータ読み出し可能な媒体１３０６はまた、ソフトウェアを実行するとき、プロセッサ１３０４によって操作されるデータを格納するために使用されることができる。
【００５３】
[0065]  処理システム内の１つ又はより多くのプロセッサ１３０４はソフトウェアを実行することができる。ソフトウェアは、ソフトウェア、ファームウェア、ミドルウェア、マイクロコード、ハードウェア記述言語、またはその他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。ソフトウェアは、コンピュータ可能な媒体１３０６に備わりえる。コンピュータ可能な媒体１３０６は、非一時的なコンピュータ読み出し可能な媒体であり得る。非一時的なコンピュータ読み出し可能な媒体は、例として、磁気記憶デバイス（例えば、ハードディスク、フロッピー（登録商標）ディスク、磁気ストリップ）、光学ディスク（例えば、コンパクトディスク（ＣＤ）、あるいはデジタル多用途ディスク（ＤＶＤ））、スマートカード、フラッシュメモリデバイス（例えば、カード、スティック、あるいはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および、コンピュータによってアクセスおよび読み取られうるソフトウェアおよび／または命令を記憶するための任意の他の適した媒体を含む。コンピュータ読み出し可能な媒体はまた、具体例として、搬送波、伝送路、およびコンピュータによってアクセスおよび読み取りされ得るソフトウェアおよび／または命令を送信するための他の適切な媒体を含み得る。コンピュータ可能な媒体１３０６は、処理システム１３１４の外部にまたは処理システム１３１４を含む複数のエンティティにわたって分散されて処理システム１３１４に属し得る。機械可読媒体１３０６は、コンピュータプログラムプロダクトにおいて具体化され得る。例として、コンピュータプログラムプロダクトは、梱包材料にコンピュータ可読媒体を含み得る。当業者は、システム全体に課せられる全体的な設計制約および特定のアプリケーションに依存して、本開示全体を通して提示される、説明された機能性をいかに最良にインプリメントすべきかを認識することになる。
【００５４】
[0001]  電気通信システムのいくつかの観点が、ＥＶＤＯシステムを参照して提示された。当業者は、本開示全体にわたって記述された様々な態様が他の電気通信システム、ネットワークアーキテクチャ、および通信規格に拡大できることを容易に認識するであろう。
【００５５】
[0002]  例によって、様々な観点は、Ｗ−ＣＤＭＡ（登録商標）、ＴＤ−ＳＣＤＭＡ、およびＴＤ−ＣＤＭＡのようなＵＭＴＳシステムにまで拡張されることができる。様々な観点はまた、（ＦＤＤ、ＴＤＤ、または両方のモードにおける）ロングタームエボリューション（ＬＴＥ）、（ＦＤＤ、ＴＤＤ、または両方のモードにおける）ＬＴＥ―アドバンスド（ＬＴＥ−Ａ）、最適化されたエボリューション―データ(Evolution-Data Optimized)（ＥＶ−ＤＯ）、ウルトラモバイルブロードバンド（ＵＭＢ）、ＩＥＥＥ ８０２．１１ （Ｗｉ−Ｆｉ）、ＩＥＥＥ ８０２．１６ （ＷｉＭＡＸ）、ＩＥＥＥ ８０２．２０、ウルトラワイドバンド（ＵＷＢ）、ブルートウース(Bluetooth（登録商標）)、および／または他の適切なシステムを用いるシステムに拡張されることができる。実際の電気通信規格、ネットワークアーキテクチャ、および／または使用される通信規格は、システムに課された全体的な設計制約および特定のアプリケーションに依存するであろう。
【００５６】
[0003]  該方法におけるステップの特定の順序または階層、或いは開示されたアルゴリズムは、例示的なプロセスの図示であることが理解されるべきである。設計の好み(preference)に基づいて、該方法におけるステップの特定の順序または階層、手順、或いはアルゴリズムは再構成され得ることが理解される。添付の方法の請求項は、サンプルの順序における様々なステップのエレメントを提示し、およびここに特定して記載されていない限り、提示された特定の順序または階層に限定されるべきことを意味されない。
【００５７】
[0066]  先の記述は、いずれの当業者にも、ここに記述された様々な観点を実施することを可能にするために提供される。これらの観点への様々な修正は、当業者にとって容易に明らかとなり、ここに定義された包括的な原理は、他の観点に適用されることができる。このように、該複数の請求項は、ここで示された複数の観点に限定されるべきことを意図されないが、該複数の請求項の言語に合わせた全体の範囲と一致されるべきであり、ここにおいて、単数のエレメントへの言及は、特にそのように述べていない限り、「１つおよび１つのみ」を意味することを意図されておらず、むしろ「１つまたは複数」を意味している。そうではないと明確に述べていない限り、用語「幾つかの」は、１つまたはそれ以上を意味する。項目のリスト「の少なくとも１つ」を指すフレーズは、単一のメンバーを含む、それらの項目の任意の組み合わせを指す。例として、「ａ、ｂ、またはｃのうちの少なくとも１つ」は、ａ；ｂ；ｃ；ａとｂ；ａとｃ；ｂとｃ；ならびにａ、ｂ、およびｃ、をカバーすることを意図される。当業者に既知の、または後に知られることになる本開示全体を通して記述される様々な観点の複数のエレメント均等なすべての構造あるいは機能は、参照によってここに明確に組み込まれ、該複数の請求項によって包含されることを意図される。さらに、ここに開示された如何なるものも、そのような開示は該複数の請求項中に明示的に記載されているかどうかにかかわらず、公に専念される(dedicated)ことを意図されない。いかなる請求項の要素も、該要素がフレーズ「ための手段」または方法の請求項の場合において、該要素がフレーズ「ためのステップ」を用いて記載されない限り、35 U.S.C. §112の第１６段落の規定の下で解釈されるべきではない。
【図１】
2017521912.tif 000003
【図２】
2017521912.tif 000004
【図３】
2017521912.tif 000005
【図４】
2017521912.tif 000006
【図５】
2017521912.tif 000007
【図６】
2017521912.tif 000008
【図７】
2017521912.tif 000009
【図８】
2017521912.tif 000010
【図９】
2017521912.tif 000011
【図１０】
2017521912.tif 000012
【図１１】
2017521912.tif 000013
【図１２】
2017521912.tif 000014
【図１３】
2017521912.tif 000015
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
下記を具備するアクセス端末において動作可能な無線通信の方法、
第１の通信プロトコルを利用する通話を確立すること、
第２の通信プロトコルを利用するセルシグナリングを受信するために該通話から離調すること、
該第１の通信プロトコルを利用する該通話に戻って同調すること、
リバースリンク（ＲＬ）パケットのパケットのサイズが第１のパケットのサイズより小さく、及び第２のパケットのサイズより大きい場合、該戻って同調することから第１の所定の数のサブフレームを具備する時間期間内で低い潜時（ＬｏＬａｔ）パケットとして送信されることを該ＲＬパケットに強制すること。
【請求項２】
請求項１に記載の方法であって、該ＬｏＬａｔパケットは、２乃至３のサブパケットの終了ターゲットを有する、方法。
【請求項３】
請求項１に記載の方法であって、
ここにおいて、該第１の通信プロトコルはＥＶＤＯであり、及び
ここにおいて、該第１のパケットのサイズはＥＶＤＯパケットのサイズ１０であり、該第１の所定の数のサブフレームは１６サブフレームより少なく、及び該第２のパケットのサイズはＥＶＤＯパケットのサイズ７である、方法。
【請求項４】
さらに下記を具備する、請求項１に記載の方法：
該通話から離調する前に、第２のＲＬパケットのパケットのサイズと該第２のＲＬパケットの終了ターゲットの両方に基づいて該第２のＲＬパケットのパイロット対トラフィックパワー利得（Ｔ２Ｐ）を増加すること。
【請求項５】
該Ｔ２Ｐを増加することは下記を具備する、請求項４に記載の方法：
該第２のＲＬパケットの該パケットのサイズが第３のパケットのサイズより大きい場合、及び該通話から離調する直前に第１の所定の時間期間が該第２のＲＬパケットの該終了ターゲットに対応する第２の所定の時間期間より少ない場合、該第２のＲＬパケットの該Ｔ２Ｐを増加すること。
【請求項６】
請求項５に記載の方法であって、該第３のパケットのサイズは該第１のパケットのサイズより小さく、及び該第２のパケットのサイズより大きい、方法。
【請求項７】
さらに下記を具備する、請求項４に記載の方法：
第２の所定の数のサブフレームの期間に、該通話から離調する直前に、ＬｏＬａｔパケットであることを該第２のＲＬパケットに強制すること。
【請求項８】
さらに下記を具備する、請求項１に記載の方法：
該通話に戻って同調することの後、該ＲＬパケットの該パケットのサイズが第３のパケットのサイズより大きい場合、所定の時間期間の間、該ＲＬパケットのパイロット対トラフィックパワー利得（Ｔ２Ｐ）を増加すること。
【請求項９】
さらに下記を具備する、請求項１に記載の方法：
該通話に戻って同調することの後、該通話から離調する前に、以前に送信された複数のＲＬパケットの最大パケットのサイズに基づいて該ＲＬパケットの該パケットのサイズを選択すること。
【請求項１０】
下記を具備する、無線通信のための装置：
第１の通信プロトコルを利用する通話を確立するための手段；
第２の通信プロトコルを利用するセルシグナリングを受信するために該通話から離調するための手段；
該第１の通信プロトコルを利用する該通話に戻って同調するための手段；及び
リバースリンク（ＲＬ）パケットのパケットのサイズが第１のパケットのサイズより小さく、及び第２のパケットのサイズより大きい場合、該戻って同調することから第１の所定の数のサブフレームを具備する時間期間内で低い潜時（ＬｏＬａｔ）パケットとして送信されることを該ＲＬパケットに強制するための手段。
【請求項１１】
請求項１０に記載の装置であって、該ＬｏＬａｔパケットは、２乃至３のサブパケットの終了ターゲットを有する、装置。
【請求項１２】
請求項１０に記載の装置であって、
ここにおいて、該第１の通信プロトコルはＥＶＤＯであり、及び
ここにおいて、該第１のパケットのサイズはＥＶＤＯパケットのサイズ１０であり、該第１の所定の数のサブフレームは１６サブフレームより少なく、及び該第２のパケットのサイズはＥＶＤＯパケットのサイズ７である、装置。
【請求項１３】
さらに下記を具備する、請求項１０に記載の装置：
該通話から離調する前に、第２のＲＬパケットのパケットのサイズと該第２のＲＬパケットの終了ターゲットの両方に基づいて該第２のＲＬパケットのパイロット対トラフィックパワー利得（Ｔ２Ｐ）を増加するための手段。
【請求項１４】
請求項１３に記載の装置であって、
ここにおいて、該Ｔ２Ｐを増加するための該手段は：
該第２のＲＬパケットの該パケットのサイズが第３のパケットのサイズより大きい場合、及び該通話から離調する直前に第１の所定の時間期間が該第２のＲＬパケットの該終了ターゲットに対応する第２の所定の時間期間より少ない場合、該第２のＲＬパケットの該Ｔ２Ｐを増加するように構成される、装置。
【請求項１５】
請求項１４に記載の装置であって、該第３のパケットのサイズは該第１のパケットのサイズより小さく、及び該第２のパケットのサイズより大きい、装置。
【請求項１６】
さらに下記を具備する、請求項１３に記載の装置：
第２の所定の数のサブフレームの期間に、該通話から離調する直前に、ＬｏＬａｔパケットであることを該第２のＲＬパケットに強制するための手段。
【請求項１７】
さらに下記を具備する、請求項１０に記載の装置、
該通話に戻って同調することの後、該ＲＬパケットの該パケットのサイズが第３のパケットのサイズより大きい場合、所定の時間期間に関する該ＲＬパケットのパイロット対トラフィックパワー利得（Ｔ２Ｐ）を増加するための手段。
【請求項１８】
さらに下記を具備する、請求項１０に記載の装置：
該通話に戻って同調することの後、該通話から離調する前に、以前に送信された複数のＲＬパケットの最大パケットのサイズに基づいて該ＲＬパケットの該パケットのサイズを選択するための手段。
【請求項１９】
下記を具備するアクセス端末：
第２の通信プロトコル及び第１の通信プロトコルを利用する無線通信のために構成されるトランシーバ；
コンピュータ実行可能なソフトウェアを具備するメモリ；及び
該トランシーバ及び該メモリに動作可能に結合されたプロセッサ；
ここにおいて、該プロセッサは、
第１の通信プロトコルを利用する通話を確立するために該トランシーバを利用すること；
該通話から離調すること及び第２の通信プロトコルを利用するセルシグナリングを受信するために該トランシーバを利用すること；
該第１の通信プロトコルを利用する該通話に戻って同調すること；及び
リバースリンク（ＲＬ）パケットのパケットのサイズが第１のパケットのサイズより小さく、及び第２のパケットのサイズより大きい場合、該戻って同調することから第１の所定の数のサブフレームを具備する時間期間内で低い潜時（ＬｏＬａｔ）パケットとして送信されることを該ＲＬパケットに強制する
ように該コンピュータ実行可能なソフトウェアによって構成される。
【請求項２０】
請求項１９に記載のアクセス端末であって、該ＬｏＬａｔパケットは、２乃至３のサブパケットの終了ターゲットを有する、アクセス端末。
【請求項２１】
請求項１９に記載のアクセス端末であって、
ここにおいて、該第１の通信プロトコルはＥＶＤＯであり、及び
ここにおいて、該第１のパケットのサイズはＥＶＤＯパケットのサイズ１０であり、該第１の所定の数のサブフレームは１６サブフレームより少なく、及び該第２のパケットのサイズはＥＶＤＯパケットのサイズ７である、アクセス端末。
【請求項２２】
請求項１９に記載のアクセス端末であって、該プロセッサはさらに：
該通話から離調する前に、第２のＲＬパケットのパケットのサイズと該第２のＲＬパケットの終了ターゲットの両方に基づいて該第２のＲＬパケットのパイロット対トラフィックパワー利得（Ｔ２Ｐ）を増加するように構成される、アクセス端末。
【請求項２３】
請求項２２に記載のアクセス端末であって、該プロセッサはさらに：
該第２のＲＬパケットの該パケットのサイズが第３のパケットのサイズより大きい場合、及び該通話から離調する直前に第１の所定の時間期間が該第２のＲＬパケットの該終了ターゲットに対応する第２の所定の時間期間より少ない場合、該第２のＲＬパケットの該Ｔ２Ｐを増加するように構成される、アクセス端末。
【請求項２４】
請求項２３に記載のアクセス端末であって、該第３のパケットのサイズは該第１のパケットのサイズより小さく、及び該第２のパケットのサイズより大きい、アクセス端末。
【請求項２５】
請求項２２に記載のアクセス端末であって、該プロセッサはさらに：
第２の所定の数のサブフレームの期間に、該通話から離調する直前に、ＬｏＬａｔパケットであることを該第２のＲＬパケットに強制するように構成される、アクセス端末。
【請求項２６】
請求項１９に記載のアクセス端末であって、該プロセッサはさらに：
該通話に戻って同調することの後、該ＲＬパケットの該パケットのサイズが第３のパケットのサイズより大きい場合、所定の時間期間に関する該ＲＬパケットのパイロット対トラフィックパワー利得（Ｔ２Ｐ）を増加するように構成される、アクセス端末。
【請求項２７】
請求項１９に記載のアクセス端末であって、該プロセッサはさらに：
該通話に戻って同調することの後、該通話から離調する前に、以前に送信された複数のＲＬパケットの最大パケットのサイズに基づいて該ＲＬパケットの該パケットのサイズを選択するように構成される、アクセス端末。
【請求項２８】
アクセス端末に下記を実施させるためのコードを具備する、非一時的なコンピュータ読み出し可能な媒体：
第１の通信プロトコルを利用する通話を確立する、
第２の通信プロトコルを利用するセルシグナリングを受信するために該通話から離調する、
該第１の通信プロトコルを利用する該通話に戻って同調する、
リバースリンク（ＲＬ）パケットのパケットのサイズが第１のパケットのサイズより小さく、及び第２のパケットのサイズより大きい場合、該戻って同調することから第１の所定の数のサブフレームを具備する時間期間内で低い潜時（ＬｏＬａｔ）パケットとして送信されることを該ＲＬパケットに強制する。
【請求項２９】
請求項２８に記載の非一時的なコンピュータ読み出し可能な媒体であって、該ＬｏＬａｔパケットは、２乃至３のサブパケットの終了ターゲットを有する、非一時的なコンピュータ読み出し可能な媒体。
【請求項３０】
請求項２８に記載の非一時的なコンピュータ読み出し可能な媒体であって、
ここにおいて、該第１の通信プロトコルはＥＶＤＯであり、及び
ここにおいて、該第１のパケットのサイズはＥＶＤＯパケットのサイズ１０であり、該第１の所定の数のサブフレームは１６サブフレームより少なく、及び該第２のパケットのサイズはＥＶＤＯパケットのサイズ７である、非一時的なコンピュータ読み出し可能な媒体。
【請求項３１】
請求項２８に記載の非一時的なコンピュータ読み出し可能な媒体であって、該通話から離調する前に、第２のＲＬパケットの終了ターゲットと該第２のＲＬパケットのパケットのサイズの両方に基づいて該第２のＲＬパケットのパイロット対トラフィックパワー利得（Ｔ２Ｐ）を増加することを該アクセス端末に実施させるためのコードをさらに具備する、非一時的なコンピュータ読み出し可能な媒体。
【請求項３２】
請求項３１に記載の非一時的なコンピュータ読み出し可能な媒体であって、該Ｔ２Ｐを増加するための該コードが、該第２のＲＬパケットのサイズが第３のパケットのサイズより大きい場合、及び該通話から離調する直前に第１の所定の時間期間が該第２のＲＬパケットの該終了ターゲットに対応する第２の所定の時間期間より少ない場合、該第２のＲＬパケットの該Ｔ２Ｐを増加することを該アクセス端末に実施させるためのコードを具備する、非一時的なコンピュータ読み出し可能な媒体。
【請求項３３】
請求項３２に記載の非一時的なコンピュータ読み出し可能な媒体であって、該第３のパケットのサイズは該第１のパケットのサイズより小さく、及び該第２のパケットのサイズより大きい、非一時的なコンピュータ読み出し可能な媒体。
【請求項３４】
請求項３１に記載の非一時的なコンピュータ読み出し可能な媒体であって、該通話から離調する直前に、第２の所定の数のサブフレームの期間に、ＬｏＬａｔパケットであることを該第２のＲＬパケットに強制することを該アクセス端末に実施させるためのコードをさらに具備する、非一時的なコンピュータ読み出し可能な媒体。
【請求項３５】
請求項２８に記載の非一時的なコンピュータ読み出し可能な媒体であって、該通話に戻って同調することの後に、該ＲＬパケットの該パケットのサイズが第３のパケットのサイズより大きい場合、所定の時間期間に関して該ＲＬパケットのパイロット対トラフィックパワー利得（Ｔ２Ｐ）を増加することを、該アクセス端末に実施させるためのコードをさらに具備する、非一時的なコンピュータ読み出し可能な媒体。
【請求項３６】
請求項２８に記載の非一時的なコンピュータ読み出し可能な媒体であって、該通話に戻って同調することの後、該通話から離調する前に、以前に送信された複数のＲＬパケットの最大パケットのサイズに基づいて該ＲＬパケットの該パケットのサイズを選択することを、該アクセス端末に実施させるためのコードをさらに具備する、非一時的なコンピュータ読み出し可能な媒体。
【手続補正２】
【補正対象書類名】明細書
【補正対象項目名】００５７
【補正方法】変更
【補正の内容】
【００５７】
[0066]  先の記述は、いずれの当業者にも、ここに記述された様々な観点を実施することを可能にするために提供される。これらの観点への様々な修正は、当業者にとって容易に明らかとなり、ここに定義された包括的な原理は、他の観点に適用されることができる。このように、該複数の請求項は、ここで示された複数の観点に限定されるべきことを意図されないが、該複数の請求項の言語に合わせた全体の範囲と一致されるべきであり、ここにおいて、単数のエレメントへの言及は、特にそのように述べていない限り、「１つおよび１つのみ」を意味することを意図されておらず、むしろ「１つまたは複数」を意味している。そうではないと明確に述べていない限り、用語「幾つかの」は、１つまたはそれ以上を意味する。項目のリスト「の少なくとも１つ」を指すフレーズは、単一のメンバーを含む、それらの項目の任意の組み合わせを指す。例として、「ａ、ｂ、またはｃのうちの少なくとも１つ」は、ａ；ｂ；ｃ；ａとｂ；ａとｃ；ｂとｃ；ならびにａ、ｂ、およびｃ、をカバーすることを意図される。当業者に既知の、または後に知られることになる本開示全体を通して記述される様々な観点の複数のエレメント均等なすべての構造あるいは機能は、参照によってここに明確に組み込まれ、該複数の請求項によって包含されることを意図される。さらに、ここに開示された如何なるものも、そのような開示は該複数の請求項中に明示的に記載されているかどうかにかかわらず、公に専念される(dedicated)ことを意図されない。いかなる請求項の要素も、該要素がフレーズ「ための手段」または方法の請求項の場合において、該要素がフレーズ「ためのステップ」を用いて記載されない限り、35 U.S.C. §112の第１６段落の規定の下で解釈されるべきではない。
以下に本願の出願当初の特許請求の範囲に記載された発明を付記する。
［Ｃ１］
下記を具備するアクセス端末において動作可能な無線通信の方法、
第１の通信プロトコルを利用する通話を確立すること、
第２の通信プロトコルを利用するセルシグナリングを受信するために該通話から離調すること、
該第１の通信プロトコルを利用する該通話に戻って同調すること、
第１の所定の数のサブフレームの期間、該戻って同調することを続けること、およびリバースリンク（ＲＬ）のサイズが第１のパケットサイズより小さく及び第２のパケットサイズより大きい場合、低い潜時（ＬｏＬａｔ）パケットであることを該ＲＬパケットに強制すること。
［Ｃ２］
該ＬｏＬａｔパケットは２乃至３のサブパケットの終了ターゲットを有する、Ｃ１の方法。
［Ｃ３］
Ｃ１の方法であって、
ここにおいて、該第１の通信プロトコルはＥＶＤＯであり、そして
ここにおいて、該第１のパケットサイズはＥＶＤＯパケットサイズ１０であり、該第１の所定の数のサブフレームは１６サブフレームより少なく、および該第２のパケットサイズはＥＶＤＯパケットのサイズ７である。
［Ｃ４］
Ｃ１に記載の方法は、さらに下記を具備する:
該通話から離調する前に、該第２のＲＬパケットのサイズ及び該第２のＲＬパケットの終了ターゲットの両方に基づいて第２のＲＬパケットのパイロット対トラフィックのパワー利得（Ｔ２Ｐ）を増加すること。
［Ｃ５］
Ｃ４の方法であって、ここにおいて、Ｔ２Ｐを増加することは下記を具備する:
該第２のＲＬバケットのサイズが第３のパケットサイズより大きい場合、および該第２のＲＬパケットの終了ターゲットのそれより小さい時間期間の間に該通話から離調する直前に、該ＲＬパケットのＴ２Ｐを増加すること。
［Ｃ６］
該第３のパケットのサイズは該第１のパケットのサイズより小さく、及び該第２のパケットのサイズより大きい、Ｃ５の方法。
［Ｃ７］
更に下記を具備する、Ｃ４の方法:
第２の所定の数のサブフレームの期間に、該通話から離調する直前に、ＬｏＬａｔパケットであることを該第２のパケットに強制すること。
［Ｃ８］
さらに、下記を具備するＣ１に記載の方法:
該通話に戻って同調することの後、該ＲＬパケットのパケットサイズが第３のパケットサイズより大きい場合、所定の時間期間の間、該ＲＬパケットのパイロット対トラフィックのパワーゲイン（Ｔ２Ｐ）を増加すること。
［Ｃ９］
さらに、下記を具備する、Ｃ１に記載の方法:該通話に戻って同調することの後、該通話から離調する前に、複数の以前送信されたＲＬパケットの最大パケットサイズに基づいて該ＲＬパケットのパケットサイズを選択すること。
［Ｃ１０］
下記を具備する、無線通信のための装置:
第１の通信プロトコルを利用する通話を確立するための手段;
第２の通信プロトコルを使用するセルシグナリングを受信するために該通話から離調するための手段;
該第１の通信プロトコルを利用する該通話に戻って同調するための手段;および
該戻って同調することに続いて、第１の所定の数のサブフレームの期間に、及びリバースリンク（ＲＬ）パケットのサイズが第１のパケットサイズより小さく、及び第２のパケットのサイズより大きい場合、低い潜時（ＬｏＬａｔ）パケットであることを該ＲＬパケットに強制する手段。
［Ｃ１１］
Ｃ１０の装置、ここにおいて、該ＬｏＬａｔパケットは、２乃至３のサブパケットの終了ターゲットを有する。
［Ｃ１２］
Ｃ１０に記載の装置であって、
ここにおいて、該第１の通信プロトコルはＥＶＤＯであり、そして
ここにおいて、該第１のパケットはＥＶＤＯパケットのサイズ１０であり、該第１の所定の数のサブフレームは１６サブフレームより小さく、そして該第２のパケットサイズはＥＶＤＯパケットサイズ７である、
上記装置。
［Ｃ１３］
さらに下記を具備するＣ１０の装置、
該通話から離調する前に、第２のＲＬパケットのサイズと第２のＲＬパケットの終了ターゲットの両方に基づいて、該第２のＲＬパケットのパイロット対トラフィックのパワーゲイン（Ｔ２Ｐ）を増加するための手段。
［Ｃ１４］
Ｃ１３の装置であって、
ここにおいて、該Ｔ２Ｐを増加するための手段は、
該第２のパケットのサイズが第３のパケットサイズより大きい場合、そして該第２のパケットの終了ターゲットのそれより小さい時間期間に該通話から離調する直前に、該第２のＲＬパケットの該Ｔ２Ｐを増加するように構成される、
上記装置。
［Ｃ１５］
該第３のパケットは、該第１のパケットサイズにより小さく、該第２のパケットサイズより大きい、Ｃ１４の装置。
［Ｃ１６］
さらに、下記を具備するＣ１３の装置:
第２の所定の数のサブフレームの期間に、該通話から離調する直前に、ＬｏＬａｔパケットであることを該第２のＲＬパケットに強制するための手段。
［Ｃ１７］
下記を備える、Ｃ１０の装置、
該通話に戻って同調することの後に、該ＲＬパケットのパケットサイズが第３のパケットサイズより大きい場合、所定の時間期間に関する該ＲＬパケットのパイロット対トラフィックのパワーゲイン（Ｔ２Ｐ）を増加するための手段。
［Ｃ１８］
さらに下記を備える、Ｃ１０の装置:
該通話に戻って同調することの後、該通補から離調する前に以前送信された複数のＲＬパケットの最大パケットサイズに基づいて該ＲＬパケットのパケットサイズを選択するための手段。
［Ｃ１９］
下記を具備するアクセス端末:
第１の通信プロトコルを利用する無線通信に関する第１の通信コンポーネント;
第２の通信プロトコルを利用する無線通信に関する第２の通信コンポーネント;
低い潜時（ＬｏＬａｔ）パケット強制コンポーネント;該第１及び第２の通信コンポーネントに動作的に結合された同調―離調制御コンポーネント、ここにおいて、該同調―離調制御コンポーネントは、
該第一の通信プロトコルを使用する通話を確立するために該第一の通信コンポーネントを利用すること;
該通話から離調すること及び該第２の通信プロトコルを使用するシグナリングを受信するために該第２の通信コンポーネントを利用すること;
該第１のプロトコルを利用する該通話に戻って同調すること;及び
第１の所定の数のサブフレームの期間に、及びリバースリンク（ＲＬ）パケットのサイズが第１のパケットサイズより小さく、及び第２のパケットサイズより大きい場合、該戻って同調することを続けること、低い潜時（ＬｏＬａｔ）パケット強制コンポーネントは、ＬｏＬａｔパケットであることを該ＲＬパケットに強制するように構成される。
［Ｃ２０］
該ＬｏＬａｔパケットは２乃至３の終了ターゲットを有するＣ１９のアクセス端末。
［Ｃ２１］
該第一の通信プロトコルがＥＶＤＯであり、
サブフレームの該第一の所定の数が１６サブフレームより小さく、及び該第二のパケットサイズがＥＶＤＯパケットサイズ７である、Ｃ２０のアクセス端末。
［Ｃ２２］
さらに、下記を備えるＣ１９に記載のアクセス端末:該通話から離調する前に、第２のＲＬパケットサイズと該第２のＲＬパケットの終了ターゲットの両方に基づいて該第２のＲＬパケットのパイロット対トラフィックのパワーゲイン(Ｔ２Ｐ)を増加するように構成されるＴ２Ｐ増加コンポーネント。
［Ｃ２３］
該Ｔ２Ｐ増加コンポーネントは、該第２のＲＬパケットのサイズが第３のパケットサイズより大きい場合で、そして該第２のＲＬパケットの終了ターゲットのそれより短い時間期間の間に該通話から離調する直前に、該第２のＲＬパケットの該Ｔ２Ｐを増加するように構成される、Ｃ２２のアクセス端末。
［Ｃ２４］
該第３のパケットサイズが該第１のパケットサイズより小さく、そして該第２のパケットサイズより大きい、Ｃ２３のアクセス端末。
［Ｃ２５］
該ＬｏＬａｔパケット強制コンポーネントが、さらに、第２の所定の数のサブフレームの期間に、該通話から離調する直前に、ＬｏＬａｔパケットであることを該第２のＲＬパケットに強制するように構成される、Ｃ２２のアクセス端末。
［Ｃ２６］
該通話に戻って同調することの後で、該ＲＬパケットのパケットサイズが第３のパケットサイズより大きい場合、所定の時間期間に関する該ＲＬパケットのパイロット対トラフィックパワーゲイン（Ｔ２Ｐ）を増加するように構成されたＴ２Ｐ増加コンポーネントをさらに備える、Ｃ１９のアクセス端末。
［Ｃ２７］
該通話に戻って同調することの後で、該通話から離調する前に、以前に送信された複数のＲＬパケットの最大パケットサイズに基づいて、該ＲＬパケットのパケットサイズを選択するように構成されるペイロードコントロールコンポーネントを更に具備する、Ｃ１９のアクセス端末。
［Ｃ２８］
第１の通信プロトコルを利用する通話を確立する、
第２の通信プロトコルを利用するセルシグナリングを受信するために該通話から離調する、
該第一の通信プロトコルを利用する該通話に戻って同調する、
該戻って同調することに続けて、第１の所定の数のサブフレームの期間に及びリバースリンク（ＲＬ）パケットのサイズが第１のパケットサイズより小さく及び第２のパケットサイズより大きい場合、低い潜時（ＬｏＬａｔ）パケットであることを該ＲＬパケットに強制する、をアクセス端末に実施させるためのコードを備えるコンピュータ読取可能な媒体。
［Ｃ２９］
該ＬｏＬａｔパケットが２乃至３のサブパケットの終了ターゲットを有する、Ｃ２８のコンピュータ読み出し可能な媒体。
［Ｃ３０］
該第１の通信プロトコルがＥＶＤＯであり、及び、ここにおいて該第１のパケットサイズがＥＶＤＯパケットサイズ１０であり、該第１の所定の数のサブフレームが１６サブフレームより少なく、及び該第２のパケットサイズはＥＶＤＯパケットサイズ７である、Ｃ２８のコンピュータ読み出し可能媒体。
［Ｃ３１］
該通話から離調する前に、該第２のＲＬパケットの終了ターゲットと第２のＲＬパケットのサイズの両方に基づいて該第２のＲＬパケットのパイロット対トラフィックパワーゲイン（Ｔ２Ｐ）を増加することを該アクセス端末に実施させるためのコードをさらに備える、Ｃ２８のコンピュータ可読媒体。
［Ｃ３２］
該Ｔ２Ｐを増加するため該コードが、該第２のＲＬパケットのサイズが第３のパケットサイズより大きい場合、及び該第２のＲＬパケットの終了ターゲットのそれより短い時間期間に該通話から離調する直前に、該第２のＲＬパケットのＴ２Ｐを増加することを該アクセス端末に実施させるためのコードを備える、Ｃ３１のコンピュータ読み出し可能な媒体。
［Ｃ３３］
該第３のパケットのサイズは該第１のパケットのサイズより小さく、及び該第２のパケットサイズより大きい、Ｃ３２のコンピュータ読み出し可能媒体。
［Ｃ３４］
該通話から離調する直前に、第２の所定の数のサブフレームの期間に、ＬｏＬａｔパケットであることを該第２のＲＬパケットに強制することを該アクセス端末に実施させるためのコードを具備する、Ｃ３１のコンピュータ可読媒体。
［Ｃ３５］
該通話に戻って同調することの後に、該ＲＬパケットのパケットサイズが第３のパケットのサイズより大きい場合、所定の時間期間に関して該ＲＬパケットのパイロット対トラフィックパワーゲイン（Ｔ２Ｐ）を増加することを、該アクセス端末に実施させるためのコードを更に備える、Ｃ２８のコンピュータ読み出し可能な媒体。
［Ｃ３６］
該通話に戻って同調することの後に、該通話から離調する前に以前に送信された複数のＲＬパケットの最大のパケットのサイズに基づいて該ＲＬパケットのパケットサイズを選択することを、該アクセス端末に実施させるためのコードを更に備える、Ｃ２８のコンピュータ読み出し可能な媒体。
【国際調査報告】
2017521912.tif 000016
2017521912.tif 000017